(57)【要約】      （修正有）【課題】人が私生活において、使うことを控えたい数字と使うことが好ましい数字を順次表示した解析統計万年暦を記載した書籍、雑誌又はカードを提供する。【解決手段】万年暦は書籍、雑誌、カード、又はＤＶＤなどの記録媒体に記載され、各年度の月ごとに、使うことを控えたい数字から使うことが好ましい数字を順次配列し、数字間には＜や・などの記号を記入して配列順を表示している。【選択図】図１
0003197106.tif 000002
【実用新案登録請求の範囲】
【請求項１】
人が私生活において、使うことを控えたい数字と使うことが好ましい数字を統計学的に定めて記載した解析統計万年暦において、該万年暦は書籍、雑誌、カード、又はＤＶＤなどの記録媒体に記載され、各年度の月ごとに、使うことを控えたい数字と使うことが好ましい数字を順次配列し、数字間には＜や・などの記号を記入して配列順を表示したことを特徴とする解析統計万年暦。
【請求項２】
上記数字の配列順を開運招福数、準開運招福数、準厄難災難数、そして厄難災難数の４段階に区分した請求項１記載の解析統計万年暦。
【請求項３】
４段階に区分した上記開運招福数、準開運招福数、準厄難災難数、そして厄難災難数が分かり易いように色分けした請求項２記載の解析統計万年暦。
【請求項４】
上記数字が守護奇跡数に当たる場合には、その旨を表記した請求項１、請求項２、又は請求項３記載の解析統計万年暦。
【考案の詳細な説明】
【技術分野】
【０００１】
本考案は占いに関して何ら知識のない素人であっても、簡単に使うことが出来る解析統計万年暦に関するものである。
【背景技術】
【０００２】
占いといってもその種類は数多く、占術ごとにその特徴がある。今日、一般的に知られている占いの種類とその特徴は次のようなものがある。
（１）手相、人相
手相とは掌に今の自分と将来の自分の姿が刻み込まれたメッセージであり、現状を見つめ直して手相から読み取られるメッセージを受け止めることで、自分を変えていくことが出来るとされる。
人相は顔から性格、運気、健康状態が分かり、自分自身で作り上げて行くものであるとされている。
【０００３】
（２）姓名判断
漢字の持つ意味や、数字が持つ神秘的な力の組み合わせによって判断するもので、名は体を表すといわれ、姓名とは常に自分の代表として日常生活や社会生活の中で付いてくる。
人の運命が姓名を構成する文字の画数などによって左右されることから、開運方法として効果的である。従って、子供の名前、芸名、会社名など、その用途は幅広く使用されている。
【０００４】
（３）気学、風水
気学とは日本古来の伝統的な占いであり、日本独自のものである。この地上にあるもの全ては「気」という生体エネルギーによって影響されているもので、開運のために吉方位を選択することが出来る。
風水は気学とは違い、中国古来の占いである。日本の歴史に残る権力者は風水を活用しており、家の方角、玄関や寝室の位置を変えることで幸運を呼ぶことが出来るとされている。
【０００５】
（４）易学
中国、古来から歴史を持つ儒教の一つである易経の中の教えである。特定の物事の状態と変化を判断することが出来るために、いろいろな問題について占うことが出来る。全神経を集中させてサイコロを振ることで答えを得る易であり、偶然出た答えのようでありながら、実は必然的な答えであり、運命であるとされる。
【０００６】
（５）四柱推命
太古中国から発祥したもので、「過去・現在・未来」を予見する運命学である。高い的中率を誇ると言われ、はっきりと答えが出る占いである。生まれた時の年、月、日、時の４つの柱から生まれ持つ運勢を読み取り、その人の今後の人生と、流れを占うことが出来る。例えば、どのような生き方が適しているかを判断する場合に使うことが出来る。
【０００７】
（６）タロットカード
タロットの起源はユダヤのカバラ思想が理念となっている。カードの絵柄１枚１枚に秘められた神秘的なメッセージから、過去、現在、未来が明確に写し出される。カードには宇宙からのメッセージを受け取ることが出来る不思議な力があり、鑑定師が持っている力を最大限に発揮できるもので、物事の原因・心理から現在の状態を判断し、未来の状況や心理的体験を占い、問題解決の糸口を見出すことが出来る。
【０００８】
（７）西洋占星術
地球を中心に考えた太陽系の惑星と我々の関係である。生まれた時の天体の配置が地上で起こる現象や、我々の心理に働き掛ける。生まれた時の天体の配置を知ることで、心の感じ方や未来が予測出来るとされる。
【０００９】
このように占いは色々知られており、それぞれに特徴があり、用途に応じて使い分けられる。ところで、これらの占いは理論的な根拠は存在しないが、古来から集積された統計に基づいて構築された考えであり、一種の統計学と言うことも出来る。
したがって、占いに基づいて判断するに際して、１００％当たるものではないが、これから先の人生を歩む指針として大きな参考になることは間違いない。
【００１０】
例えば、人生において厄年と言われる年が昔から存在し、この厄年には神社で厄払いを行うことが一般的である。統計を取るならば、厄年には病気になったり色々な災難に遭遇するケースが多いことは事実である。
また、年間を通して交通事故が多い月日も統計で明らかに成っている。占いはこのような統計を基にして構築されているために、完全に無視することは出来ない。
【００１１】
しかし、これら従来の占いを全くの素人は理解することは困難であり、しかも市販されている占い誌を使いこなすことは容易でない。占いを商売としている占い師は多く存在し、そのために素人が簡単に使いこなすことが出来るように記載したのでは占い師にとっては好ましくないといった理由もある。
【００１２】
特開２００７−２４１６８９号に係る「四柱推命六十干支求め表セット」は、四柱推命占いにおいて、占い対象者の年柱、月柱、日柱の夫々の六十干支を、嵩張る萬年暦を用いずに簡単に知ることが出来る。
すなわち、番号付きの『六十干支表』と、各年号に対する各月の「節入り」の日を印した『節入り表』と、各年号の年柱、月柱、日柱の各六十干支の番号を求めるための『基本数表』とからなり、基本数表から計算によって得た数字を、『六十干支表』から選んで、対応する各六十干支を知るように構成している。
【特許文献１】特開２００７−２４１６８９号に係る「四柱推命六十干支求め表セット」
【考案の開示】
【考案が解決しようとする課題】
【００１３】
このように、素人にとって数多くある占いを理解して自分なりに使いこなすことは容易でない。本考案が解決しようとする課題はこの問題点であり、誰でも簡単に、しかも間違いなく正しく使うことが出来るように記載した解析統計万年暦を提供する。
【課題を解決するための手段】
【００１４】
本考案に係る解析統計万年暦は、各個人に適合した数字と不適合な数字を配列して構成した暦である。この解析統計万年暦はその人が生まれた年月に基づいて統計的に構築したものであり、その人に適合した数字と不適合な数字が定められる。日常の生活で数字を使うことは多く、例えば車の登録番号、マンションの部屋番号、住所の番地など色々あるが、その人に適合した数字とする方が好ましい。
【００１５】
ところで、本考案では各年度の月ごとに数字を配列し、使用するに適さない数字から使用するに適す数字を順次に列記した表を構成している。
そして、この数字を４段階評価で区分し、ラッキーナンバー（開運招福数）、次によいラッキーナンバー（準開運招福数）、アンラッキーナンバー（厄難災難数）、次の悪いアンラッキーナンバー（準厄難災難数）に分けられている。この４段階評価区分の具体的な手段は問わないが、例えば色分け（緑色、白色、赤色、黄色）することが出来る。
【００１６】
この場合、男性用と女性用に区分されており、また、この万年暦にはその年の守護奇跡数が定められている。そして、この表に表示される暦は太陽暦でなく明治維新前まで使用されて来た旧暦（太陰暦）として表している。
ここで、本考案に係る解析統計万年暦を表示する具体的な手段は問わないが、一般的には雑誌又は書籍の各ページに表示する。一方、ＤＶＤなどの記録媒体として表示することも出来る。
【考案の効果】
【００１７】
本考案の解析統計万年暦は各年度の月ごとに数字を配列したものであり、生れた年月に該当する数字を知ることが出来る。そこで、該数字は使用するに適したものから使用するに適さない数字が順番に表示されている。
したがって、この解析統計万年暦を使うことで、私生活において使っても良い数字と使うことを避ける方が良い数字が一目で分かる。すなわち、占い誌を使ったことのない全くの素人であっても簡単に使いこなすことが出来る。
【００１８】
具体的な使い方は限定しないが、自分が自由に選択することが出来る数字であるならば、本考案の解析統計万年暦に基づいて適した数字を選択することが可能となり、今後の人生を切り開くための一手段と成る。試験に際して使われる受験番号は自分で選択することは出来ないが、適した数字の受験番号であれば、その試験に合格する確率は高くなることが統計上判明している。
例えば、車の登録番号、自殺や他殺、災害の遭遇、病死など、あらゆる場合に効果がもたらされる。
【図面の簡単な説明】
【００１９】
【図１】本考案に係る解析統計万年暦を示す１具体例で、２０１６年生まれの男性及び女性の場合を示している。
【図２】本考案に係る解析統計万年暦を示す他の具体例で、１９４７年生まれの男性及び女性の場合を示している。
【考案を実施するための形態】
【００２０】
図１は本考案に係る解析統計万年暦を示す具体例であり、２０１６年（平成２８年）に生まれた人の暦である。同図の（ａ）は男性用、（ｂ）は女性用であり、１月〜１２月における生まれ月ごとに数字が記載されている。ここで、表示されている月は旧暦表示であり、１月とは６日７時０８分〜２月４日１８時４６分までの時間帯を指している。
同じく２月とは４日１８時４６分〜３月５日１２時４４分までの時間帯である。以下、３月、４月、５月・・・・も同暦に記載しているように定まる。
【００２１】
ところで、２０１６年１月生まれの男性の場合、３・４＜５＜６＜１＜２＜７＜８・９のように数字が列記されている。
ここで、使うことを避けたい数字は３と４であり、そして５、６，１，２の順に好ましくない。使うに適している数字は８と９であり、７も好ましい。数字の間に表示している記号「＜」を持って使用するに不適当な数字の序列を示している。
すなわち、１より６が悪く、６より５が悪く、５より４が悪い。さらに３も悪い。数字の間に表示している「・」は同等を表し、３と４は同等程度に悪く、使用には適していない。
一方、１月生まれの女性の場合、３＜２・５＜６＜１＜４＜７＜８・９のように数字が列記されている。そこで３が最も悪く、その次に２，５，６・・・の順に悪くなり、８と９が最も適している。また７も好ましい。
【００２２】
また、２０１６年８月生まれの男性の場合には、数字が３・４＜７・９＜６＜１＜８＜５＜２のように列記されている。そこで、使うことを避けたい数字は最初の３と４であり、また７と９も好ましくない。これに対して使うに適している数字は最後の２が最もよく、５と８も好ましい。
８月生まれの女性の場合には、３＜７・９＜６＜１＜４＜２＜８＜５のように数字が列記されている。そこで、最初の３が最も悪く、その次に７と９も悪い。これに対して最後の５が最も適している。また２と８も好ましい。
【００２３】
図２は本考案に係る解析統計万年暦を示す他の具体例であり、１９４７年（昭和２２年）に生まれた人の暦である。同図の（ａ）は男性用、（ｂ）は女性用であり、１月〜１２月における生まれ月ごとに数字が記載されている。
ところで、１９４７年６月生まれの男性の場合、１＜２＜３＜９＜５＜４＜７＜６＜８のように数字が列記されている。ここで、使うことを避けたい数字は最初の１、２、３、９であり、使うに適している数字は８，６，７，４である。特に８は守護奇跡数に当たり、この８を使用することで色んな点で幸運がもたらされる。
すなわち、最後のラッキーナンバー８が守護奇跡数にあたり、心がけて使うことで大きな幸運がもたらされる可能性が高い。
一方、６月生まれの女性の場合、使うことを避けたい順に１＜２＜３＜９＜５＜４＜８＜６＜７のように数字が列記されている。そして、最後のラッキーナンバーである７が守護奇跡数に当たっている。
【００２４】
本考案の解析統計万年暦は書籍、複数枚のカード、又はＤＶＤ等の記録媒体として構成し、各年度の月ごとに数字を配列し、該数字は使用するに際して控えた方が好ましいものから、使用するに適しているものを順に並べて構成している。
そして、数字の配列において、数字間に記号「＜」、「・」をおいて配列順を表示している。ただし、配列順を表示するための記号は上記＜や・に限定するものではない。
【００２５】
ところで、本考案の万年暦には上記守護奇跡数を定め、数字を□で囲っている。同図に示す２０１６年生まれの男性の場合、守護奇跡数は「２」であり、そして１９４７年生まれの男性では、この守護奇跡数が「８」と成っている。この守護奇跡数は災難厄難数と重なった場合にはかろうじて回避可能となる数字であり、一方ラッキーナンバーと重なった場合には大きなラッキーナンバーと成るが、１９４７年生まれの男性では、ラッキーナンバー８が守護奇跡数に当たり、幸運がもたらされる可能性は高い。
【００２６】
例えば、この守護奇跡数を頻繁に使用することで、厄難災難を避けることが可能となり、幸運がもたらされる。仮に経営者であるならば会社の繁栄がもたらされ、従業員であるならば出世する可能性が高くなり、逆に会社の倒産やリストラといった不運な事態に遭遇しても次の仕事が見つかることを意味している。
【００２７】
本考案の万年暦に列記している数字は統計的に構築したものであり、全ての万人に１００％当てはまるものではないが、この暦に列記した好ましい数字を出来る限り使用するように心がけるならば、人生は良い方に向かうものと考えられ、逆に好ましくない数字の使用は出来る限り避ける方が好ましい。
【００２８】
一方、本考案に係る暦に記載している数字は４段階に区分している。
すなわち、ラッキーナンバー（開運招福数）、次によいラッキーナンバー（準開運招福数）、アンラッキーナンバー（厄難災難数）、次の悪いアンラッキーナンバー（準厄難災難数）に分けられている。
この４段階評価区分の具体的な手段は問わないが、例えば色分け（開運招福数は緑色、準開運招福数は白色、厄難災難数は赤色、準厄難災難数は黄色）することが出来る。
【００２９】
前記図１において、２０１６年１月生まれの男性の場合、３・４＜５＜６＜１＜２＜７＜８・９のように数字が列記されている。そして、同図では４段階に区分した色分けは図面上はっきりしないが、７，８，９は開運招福数の緑色とし、１，２は準開運招福数の白色、６は準厄難災難数の黄色、３，４，５は厄難災難数の赤色としている。
【００３０】
また、１９４７年６月生まれの男性の場合、１＜２＜３＜９＜５＜４＜７＜６＜８のように数字が列記されている。そして、同図では４段階に区分した色分けとして４，７，６，８は開運招福数の緑色とし、５は準厄難災難数の黄色、１，２，３，９は厄難災難数の赤色としている。
本考案の実施例では色分けにて４段階にて区分しているが、一見して分かり易い区分であれば色分けに限定するものではない。
【図１】
0003197106.tif 000003
【図２】
0003197106.tif 000004
【手続補正書】
【提出日】平成27年2月20日(2015.2.20)
【手続補正１】
【補正対象書類名】実用新案登録請求の範囲
【補正対象項目名】全文
【補正方法】変更
【補正の内容】
【実用新案登録請求の範囲】
【請求項１】
人が私生活において、使うことを控えたい数字と使うことが好ましい数字を統計学的に定めて表示した解析統計万年暦であって、各年度の月ごとに、使うことを控えたい数字と使うことが好ましい数字を順次配列し、数字間には＜や・などの記号を記入して配列順を表示した解析統計万年暦を記載したことを特徴とする書籍、雑誌又はカード。
【請求項２】
上記数字の配列順を開運招福数、準開運招福数、準厄難災難数、そして厄難災難数の４段階に区分した請求項１記載の書籍、雑誌又はカード。
【請求項３】
４段階に区分した上記開運招福数、準開運招福数、準厄難災難数、そして厄難災難数が分かり易いように色分けした請求項２記載の書籍、雑誌又はカード。
【請求項４】
上記数字が守護奇跡数に当たる場合には、その旨を表記した請求項１、請求項２、又は請求項３記載の書籍、雑誌又はカード。